(57)【要約】【課題】鍵盤装置において、堅牢で剛性の高い下限ストッパとすることで、アフタタッチセンサで高い精度を得るとともに、簡単な構成で部品点数を低減することを課題とする。【解決手段】鍵フレーム１の可動フレーム１２の前壁部１２ｄから手前側に鍵下限ストッパ７を鍵フレーム１と一体に成型する。上面部７ａと下面部７ｃの間にリブ壁７ｄを形成する。上面部７ａの上にアフタタッチセンサ８を設ける。アフタタッチセンサ８で押鍵ストローク後の鍵の押鍵力を検出し、可動フレーム１２の下に弾性板等を必要としないようにする。【選択図】図１
2005202192.tif 000002
【特許請求の範囲】
【請求項１】
鍵支持部を有し、該鍵支持部の鍵支点部に鍵が揺動自在に支持されるための鍵フレームと、
鍵の下限位置を規制するための、前記鍵フレームに一体形成された硬質樹脂からなる鍵下限ストッパ部と、
該鍵下限ストッパ部は、鍵側の被ガイド部としての下延部が可動するための前壁部手前の空間へ格子状に突出した突起として手前側に設けた
ことを特徴とする鍵盤装置。
【発明の詳細な説明】
【技術分野】
【０００１】
本発明は、電子楽器等の鍵盤楽器の鍵盤装置に関し、鍵の下限位置を規制するための鍵下限ストッパ部の改良に関する。
【背景技術】
【０００２】
従来、電子楽器の鍵盤装置として、例えば、特開２００３−２９７５６号公報に開示されたものがある。この従来の鍵盤装置では、サブフレーム（２０）をメインフレーム（１０）に対してヒンジ部（１）を介し鍵並び方向に相対的に揺動可能に構成し、鍵操作時の鍵並び方向の揺動を検出したり、押鍵ストローク後に鍵（３０）をさらに下方に押下したとき、下方への力を下限ストッパホルダ（５１）を介して板状部材（５０）に伝え、この板状部材（５０）を下方に撓ませて、この下限ストッパホルダ（５１）の変位量を検出し、これらの検出信号により、例えば、音色、音量、ピッチ、リバーブ、パン、ビブラート等に反映させて楽音を制御するようにしている。
【特許文献１】特開２００３−２９７５６号公報
【発明の開示】
【発明が解決しようとする課題】
【０００３】
このように、鍵並び方向へ揺動させたり、押鍵ストッパ後にさらに押下させるような演奏操作は強い鍵操作力で押下するので、堅牢で剛性の高い下限ストッパが必要となる。特開２００３−２９７５６号公報の装置のものにあっては、板状部材によって下限ストッパホルダへの押圧力を有る程度吸収できるが、このような板状部材等を設けると構造が複雑になり生産性が悪いという問題がある。また、重量が大きく増えるため可搬性への影響が大きくなる。さらにフレーム等が板金の曲げ加工で形成されているため、上限ストッパと下限ストッパの間隔などの精度が出しにくく、ひいてはセンサ精度を良くするのが困難である。また、各部材を締結するためのネジ等の部品が多くなり、高コストにもなる。
【０００４】
本発明は、鍵盤装置において、堅牢で剛性の高い下限ストッパを得るとともに、アフタタッチセンサで高い精度が得られ、しかも簡単な構成で部品点数を低減することを課題とする。
【課題を解決するための手段】
【０００５】
請求項１の鍵盤装置は、鍵支持部で鍵を揺動自在に支持する鍵フレームに鍵下限ンストッパ部を形成する際に、硬質樹脂により鍵下限ンストッパ部を鍵フレームに一体形成するとともに、この鍵下限ンストッパ部された硬質樹脂からなる鍵下限ストッパ部と、該鍵下限ストッパ部を、鍵側の被ガイド部としての下延部が可動するための前壁部手前の空間に対して、格子状に突出した突起として手前側に設けた。格子状に突出した突起は縦のリブ壁を有するので鍵下限ンストッパは下方えのへの押圧力に対して剛性が高くなる。また、格子状の上面をアフタタッチセンサの載置台とすることもできる。アフタタッチセンサの載置台とした場合、剛性が高いため、台の変形がないので精度の高いセンサを構成することができる。特に各鍵で均一な出力を得ることが可能である。
【発明の効果】
【０００６】
請求項１の鍵盤装置によれば、堅牢で剛性の高い下限ストッパを得ることができるとともに、アフタタッチセンサで高い精度が得られ、しかも簡単な構成で部品点数を低減することができる。
【発明を実施するための最良の形態】
【０００７】
以下、本発明の一実施形態について説明する。なお、この明細書において、鍵盤装置（電子楽器）の「上下左右」を指す場合、演奏時の演奏者側（鍵盤側）から見た正立状態の「上下左右」とする。また、「前後方向（あるいは手前と奥）」を指す場合、演奏者側を「前、手前」、背面側を「後、奥」とする。
【０００８】
図１は本発明の実施形態の鍵盤装置の断面図であり、鍵並び方向に対して直角に切った断面図である。この鍵盤装置は電子オルガン用の鍵盤装置であり、後述の下限ストッパ部に配設したアフタタッチセンサでアフタタッチを検出するとともに、図示しないセンサにより鍵並び方向の押鍵力を検出して、音色、音量、ピッチ、リバーブ、パン、ビブラート等をの楽音制御を行えるようにしたものである。
【０００９】
鍵フレーム１は、当該鍵盤装置を楽器本体に固着するための固定フレーム１１と、可動フレーム１２と、該固定フレーム１１と可動フレーム１２とを連結するヒンジ部１３とで構成され、この固定フレーム１１、可動フレーム１２及びヒンジ部１３は硬質の合成樹脂で金型により一体成型されている。ヒンジ部１３は鍵並び方向の厚みが薄いリブ状に形成してそのリブを鍵並び方向に複数併設したものであり、このヒンジ部１３の弾性により、可動フレーム１２は固定フレーム１１に対して鍵並び方向に僅かに揺動可能とされている。なお、固定フレーム１１及び可動フレーム１２はヒンジ部１３と同様に垂直面をなす多数のリブ等により軽量で堅牢な構造になっている。
【００１０】
鍵（白鍵及び黒鍵）２は奥側の基端部２ａにおいて、固定フレーム１１の上部の鍵支持部１１ａに回動自在となるように取り付けられている。なお、図３では白鍵についてその断面が現れ黒鍵は白鍵に隠れているので、以下、主に白鍵について説明するが黒鍵についても白鍵と同様な構成になっている。固定フレーム１１のバネ係止部１１ｂと鍵２のバネ受部２ｂとの間には復帰用バネ２１が装着される。復帰用バネ２１は鍵２を上方に付勢しており、押鍵後に離鍵されると鍵２を非押鍵状態の位置に復帰させる。
【００１１】
鍵２の前寄りには２枚のストッパ当接片（被ガイド部としての下延部）２ｃが下方に延設されている（黒鍵の場合は先端近傍）。また、可動フレーム１２の先端には鍵ガイド支持部１２ａが該可動フレーム１２と一体に形成されるとともに、この鍵ガイド支持部１２ａには鍵ガイド１２１が嵌着されており、鍵２のストッパ当接片２ｃが鍵ガイド１２１を挟むようにして上下方向に摺動可能となっている。これにより、鍵２の鍵並び方向の揺動は、鍵ガイド１２１によって抑制される。より正確には、鍵２を鍵並び方向に揺動させると、その力がキーガイド１２１を介して可動フレーム１２に伝わり、可動フレーム１２が固定フレーム１１に対して鍵並び方向に揺動する。なお、可動フレーム１２上には、キースイッチ４１等を取り付けた回路基板４が配設されており、鍵２の押離鍵に応じたキーオン、キーオフ等がキースイッチ４１により検出される。
【００１２】
可動フレーム１２の前壁部１２ｄの下部には、下限ストッパ部７が該可動フレーム１２と一体に形成されている。図２は下限ストッパ部７の前方下から見た一部斜視図であり、この下限ストッパ部７は、水平な上面部７ａ、垂直な後面部７ｂ及び水平な下面部７ｃを有し、この上面部７ａ、後面部７ｂ及び下面部７ｃは、一体にして断面コ字状で鍵並び方向に全鍵に亘って形成されている。また、この上面部７ａ、後面部７ｂ及び下面部７ｃで囲われた内側には鍵並び方向に所定間隔を取って複数のリブ壁１７ｄが形成されている。さらに上面部７ａ上部と前壁部１２ｄとに直角な複数のリブ壁１７ｅがリブ壁１７ｄと同じ間隔で形成されている。図１に示したように、上面部７ａの上には長尺なアフタタッチセンサ８が鍵並び方向に配設されるとともに、このアフタタッチセンサ８の上に下限ストッパフェルト７１が配設されている。
【００１３】
また、可動フレーム１２の前端側には鍵ガイド支持部１２ａの付け根部に沿って鍵並び方向に延びる上限ストッパレール部１２２が形成されており、この上限ストッレール部１２２の下面には、全鍵のストッパ当接片２ｃの鈎部上端２ｃ２に対向するように長尺の上限ストッパフェルト１２２ａが接着して配設されている。
【００１４】
以上の構成により、鍵２の非押鍵（離鍵）時には、復帰用バネ２１により鍵２の前端が上がる方向に付勢され、ストッパ当接片２ｃの鈎部上端２ｃ２が上限ストッパフェルト１２２ａに当接して非押鍵状態の位置になる。また、鍵２の押鍵時には、ストッパ当接片２ｃの下端２ｃ１が下限ストッパフェルト７１に当接し、通常の押鍵状態となる。すなわち、このストッパ当接片２ｃが上限ストッパフェルト１２２ａに当接する位置から下限ストッパフェルト７１に当接する位置までが、鍵２の押鍵ストロークとなる。
【００１５】
この押鍵ストローク後に、鍵２に対して更に押下するように押圧力を加えると、ストッパ当接片２ｃにより下限ストッパフェルト７１を押圧し、アフタタッチセンサ８によりその押圧力が検出される。
【００１６】
以上のように、下限ストッパ部７は、鍵２側のストッパ当接片２ｃが可動するための前壁部１２ｄの手前の空間Ｓ（図１）へ、格子状に突出した突起として鍵盤装置の手前側に設けられている。下限ストッパ部７の上面部７ａ、下面部７ｃ、リブ壁１７ｄ（及びリブ壁１７ｅ）は格子状を成しており、特にリブ壁１７ｄにより当該下限ストッパ部７は剛性の高いものになっている。また、この剛性の高い下限ストッパ部７の上面部７ａ上にアフタタッチセンサ８を設けているので、精度の高いセンサ出力が得られる。
【００１７】
このように、剛性の高い下限ストッパ部７の部分でアフタタッチセンサ８により、押鍵ストローク後の押鍵力を検出することができるので、前記従来の鍵盤装置のように、可動フレーム１２の下に板状部材等の弾性部材を設けるような構成にしなくてよいので、軽量で簡単な構成になり部品点数も低減できる。
【００１８】
以上の実施形態では、下限ストッパ部７に垂直のリブ壁１７ｄを設けうるようにしているが、例えば図３のような構造のリブ壁１７ｆを設けてもよい。このリブ壁１７ｆは隣接するもの同士で三角の梁の構造をなすので、上からの押圧力に対してさらに剛性が高くなる。このように、下限ストッパ部は縦のリブのような構造を持っていればよい。なお、鍵フレームの成型金型は鍵フレームの上下方向に抜くようにして製造しているが、下限ストッパ部７の上面部７ａと下面部７ｃの間は、上下金型に連動するスライドコア方式で比較的容易に形成できる。
【００１９】
なお、図１に一点鎖線で示した部分は当該鍵フレームの成型時に同時に一体成型することができる連結部Ｘであり、この連結部Ｘを設けると固定フレーム１１の下側と下限ストッパ部７とが連結部Ｘによって一体に連結される。 前記実施形態のものは可動フレーム１２が鍵並び方向に揺動可能にしたものであるが、鍵並び方向の押鍵操作を検出しないような廉価な機種の場合はこの連結部Ｘを設けれはよい。この連結部Ｘを設けるか設けないかもスライドコア方式で容易に選択することができるので、高級機種も廉価な機種も殆ど同じ金型で成型することができ、コストを低減することができる。
【図面の簡単な説明】
【００２０】
【図１】本発明の実施形態の鍵盤装置の断面図である。
【図２】本発明の実施形態における下限ストッパ部の前方下から見た一部斜視図である。
【図３】下限ストッパ部の他の実施例を示す一部斜視図である。
【符号の説明】
【００２１】
１…鍵フレーム、２…鍵、７…鍵下限ストッパ部、２ｃ…ストッパ当接片（下延部）、１１…固定フレーム、１２…可動フレーム、１２ｄ…前壁部
【図１】
2005202192.tif 000003
【図２】
2005202192.tif 000004
【図３】
2005202192.tif 000005